(57)【要約】【課題】本発明は、構内交換機が輸出された後に別の国に輸出されることによって、日本から直接輸入する顧客に不利益を被ることがなくなるように、初期設定する初期値データの秘匿性を向上させた構内交換機及びその初期設定方法を提供することを目的とする。【解決手段】本発明は、初期設定を行うとき、設定端末と通信を行って識別情報を取得することができる通信制御部と、識別情報と対応付けられた仕向地ごとの仕向地データ（初期値データ）１９，２０，２１が格納された外部記憶装置６と、通信制御部によって識別情報を取得させるとともに、外部記憶装置６から該識別情報と対応する仕向地の仕向地データ１９，２０，２１を出力して初期設定を行う制御手段を備えたことを特徴とする。【選択図】図２
2005143010.tif 000002
【特許請求の範囲】
【請求項１】
初期設定を行うとき、設定端末と通信を行って識別情報を取得することができる通信制御部と、前記識別情報と対応付けられた仕向地ごとの初期値データが格納された外部記憶装置と、前記通信制御部によって前記識別情報を取得させるとともに、前記外部記憶装置から該識別情報と対応する仕向地の初期値データを出力して初期設定を行う制御手段を備えたことを特徴とする構内交換機。
【請求項２】
コンピュータを、初期設定を行うとき通信制御部を使って識別情報を取得する識別情報取り出し手段、前記識別情報取り出し手段が取得した識別情報によって初期値データを格納した外部記憶装置から該識別情報と対応する仕向地の初期値データを出力する初期値選択手段、前記初期値選択手段が選択した初期値データを使って初期設定を行う設定手段として機能させるための構内交換機のプログラム。
【請求項３】
請求項２記載のプログラムを記録したコンピュータ読み取り可能な記録媒体。
【請求項４】
記憶媒体に識別情報と仕向地、初期値データを対応付けて格納しておき、設定端末と通信を行って識別情報を取得し、前記記憶媒体を装着した外部記憶装置から該識別情報と対応する仕向地の初期値データを読み出し、該初期値データを使って構内交換機を初期設定することを特徴とする構内交換機の初期設定方法。
【発明の詳細な説明】
【技術分野】
【０００１】
本発明は、構内交換機と設定端末によってやり取りされる識別情報によって、仕向地ごとの初期設定を行う構内交換機、それを実行する構内交換機のプログラム、記録媒体、及び構内交換機の初期設定方法に関するものである。
【背景技術】
【０００２】
従来の構内交換機は、専用内線電話機を含めて世界各国に輸出される場合に、各国ごとに電話特性規格（例えば、アメリカであればＦＣＣ規格、ドイツであればＥＴＳＩ規格）に適合しなければならない。場合によっては市場からの要請で異なった電話特性にする必要もある。このため専用内線電話機を含めて構内交換機のハードウェアを変更して対応しなければならなかった。従って、同一機種を仕向け地ごとに複数の製品を製造する必要が生じ、開発コスト、製造コスト及び製品流通の面で非常に負担がかかっていた。
【０００３】
そこで、各国に輸出する際、その輸出国に適合した初期値データ（トーン種別、リンガー音種別、複数電話機の呼び出し周期間隔、ＬＣＤ表示言語データ等）を含むデータを構内交換機のＲＯＭに書き込み、ディップスイッチで選択する構内交換機が提案された（例えば、特許文献１参照）。
【特許文献１】特開２００１−１６９３１８号公報
【発明の開示】
【発明が解決しようとする課題】
【０００４】
しかし、図４に記載するようにＡ国に輸出した構内交換機がさらにＢ国に輸出され、正規ルート製品より安価に販売されてしまい、日本から直接にＢ国へ輸出した構内交換機を取り扱う販売店ディーラが不利益をこうむることが発生していた。図４は従来の構内交換機の販売ルートを示す図である。というのは、従来の構内交換機はディップスイッチで選択するため、購入者サイドで初期値データが切り替えられるからである。
【０００５】
そこで、本発明の解決しようとする問題点は、正規ルートで構内交換機を購入した販売店ディーラが不利益を被ることをなくすということである。また、各構内交換機の初期値データの秘匿性を向上させることである。
【課題を解決するための手段】
【０００６】
本発明の構内交換機は、初期設定を行うとき、設定端末と通信を行って識別情報を取得することができる通信制御部と、識別情報と対応付けられた仕向地ごとの初期値データが格納された外部記憶装置と、通信制御部によって識別情報を取得させるとともに、外部記憶装置から該識別情報と対応する仕向地の初期値データを出力して初期設定を行う制御手段を備えたことを主要な特徴とする。
【発明の効果】
【０００７】
本発明の構内交換機は、設定端末から識別情報を入手しその識別情報によって外部記憶装置から仕向地と対応した初期値データを選択することができ、正規ルートで構内交換機を購入した販売店ディーラが不利益を被ることをなくすことができるという利点がある。
【発明を実施するための最良の形態】
【０００８】
本発明は、構内交換機が輸出された後安い価格でさらに別の国に輸出され、日本から直接輸入するこの国の販売店ディーラが不利益を被るといったことがなく、構内交換機を初期設定する初期値データの秘匿性を向上させるという課題を解決するもので、設定端末と
通信して仕向地と対応する識別情報を取得し、この識別情報によって記録媒体に記憶された識別情報、仕向地、初期値データの対応関係から仕向地の初期値データを読み出し、これによって構内交換機を初期設定するものである。
【０００９】
上記課題を解決するためになされた本発明の第１の発明は、初期設定を行うとき、設定端末と通信を行って識別情報を取得することができる通信制御部と、識別情報と対応付けられた仕向地ごとの初期値データが格納された外部記憶装置と、通信制御部によって識別情報を取得させるとともに、外部記憶装置から該識別情報と対応する仕向地の初期値データを出力して初期設定を行う制御手段を備えたものであり、識別情報が設定端末から入手され、記録媒体からこの識別情報を使って仕向地の初期値データを読み出すから、識別情報の取得の段階、記録媒体から初期値データを読み出す段階で、それぞれ正規の販売店ディーラ以外のものを排除でき、正規ルートの販売店ディーラが不利益を被ることを防ぐことができる。
【００１０】
本発明の第２の発明は、コンピュータを、初期設定を行うとき通信制御部を使って識別情報を取得する識別情報取り出し手段、識別情報取り出し手段が取得した識別情報によって初期値データを格納した外部記憶装置から該識別情報と対応する仕向地の初期値データを出力する初期値選択手段、初期値選択手段が選択した初期値データを使って初期設定を行う設定手段として機能させるためのプログラムであり、このプログラムを中央演算処理装置にロードするだけで秘匿性の高いシステムを簡単に構築し、正規ルートの販売店ディーラが不利益を被ることを防ぐことができる。
【００１１】
本発明の第３の発明は、第２の発明のプログラムを記録したコンピュータ読み取り可能な記録媒体であり、記録媒体にプログラムを格納しているため、バージョンアップが容易で、秘匿性の高いシステムを簡単に構築し、正規ルートの販売店ディーラが不利益を被ることを防ぐことができる。
【００１２】
本発明の第４の発明は、記憶媒体に識別情報と仕向地、初期値データを対応付けて格納しておき、設定端末と通信を行って識別情報を取得し、記憶媒体を装着した外部記憶装置から該識別情報と対応する仕向地の初期値データを読み出し、該初期値データを使って構内交換機を初期設定する構内交換機の初期設定方法であり、識別情報の取得の段階、記録媒体から初期値データを読み出す段階で、それぞれ正規の販売店ディーラ以外のものを排除でき、正規ルートの販売店ディーラが不利益を被ることを防ぐことができる。
【００１３】
（実施の形態１）
以下、本発明の実施の形態１について、各図に基づいて説明する。図１は本発明の実施の形態１における構内交換機のハードブロック図、図２（ａ）は本発明の実施の形態１における構内交換機のメモリマップ図、図２（ｂ）は（ａ）の交換機を機能させるプログラムの機能手段構成図、図３は本発明の実施の形態１における構内交換機の初期設定方法を示すフローチャートである。
【００１４】
図１において、１は中央演算処理装置、２はプログラムやデータを保存するフラッシュメモリ、３は書き換え可能なプログラムやデータを格納するランダムアクセスメモリ、４はリセットや運転モードを設定するスイッチ等で構成される入力部、５は構内交換機の運転モードやエラー表示などの表示に使用されるＬＥＤやＬＣＤ等で構成される出力部、６は小型のカード形状や棒状に構成された記録媒体をセットして読み書きできる外部記憶装置、７は設定端末と通信を行う通信制御部である。
【００１５】
８は電話の接続された内線や網回線の信号制御を行う回線制御部、９は電源ＯＮまたはリセット時に最初に実行されシステム全体を立ち上げるために必要最低限の機能を制御す
るプログラムを保存しておくブート領域、１０は頻繁に書き換えることの無いプログラムやデータを保存しておくプログラム・データ格納領域、１１はフラッシュメモリの書き換えを行うプログラムやシステムを動作させるためのプログラムを保存しておくプログラム格納領域、１２は更新されるデータを保存しておくデータ格納領域、１３は構内交換機の設定を行うために用いる設定端末を示している。
【００１６】
次に、本発明の実施の形態１の構内交換機のメモリマップについて図２（ａ）、（ｂ）に基づいて説明する。図２（ａ）において、１４はそのまま動作するプログラムまたは圧縮したバイナリ形式で格納されているシステムプログラムイメージ格納領域、１５は仕向地コードなどを格納しているシステムデータ格納領域、１６はフラッシュメモリ２内にあるシステムプログラムイメージ格納領域１４に存在するバイナリ−データをコピーまたは伸長しながらランダムアクセスメモリ３内にコピーしプログラムが実行可能な形式で格納されているシステムプログラム格納領域である。
【００１７】
１７はフラッシュメモリ２内にあるシステムデータ格納領域に存在するデータをランダムアクセスメモリ３内にコピーしたシステムデータ格納領域、１８は外部記憶装置６内にある仕向地データのうち該当する仕向地データをコピーした仕向地データ格納領域、１９はＡ国用のトーン種別、リンガー音種別、複数電話機の呼び出し周期間隔、ＬＣＤ表示言語データ等で構成されるＡ国用の仕向地データ、２０はＢ国用のトーン種別、リンガー音種別、複数電話機の呼び出し周期間隔、ＬＣＤ表示言語データ等で構成されるＢ国用の仕向地データ、２１はＣ国用のトーン種別、リンガー音種別、複数電話機の呼び出し周期間隔、ＬＣＤ表示言語データ等で構成されるＣ国用の仕向地データを示している。なお、フラッシュメモリ２、ランダムアクセスメモリ３、外部記憶装置６、ブート領域９は図１において説明したとおりであり、説明は省略する。
【００１８】
次に、図２（ｂ）に示す初期設定を行うための機能構成の要部について説明する。図２（ｂ）において、３１は初期値の設定を行うとき通信制御部７が通信で得た国番号等の国情報（本発明における識別情報）を取り出す識別情報取り出し手段、３２は識別情報取り出し手段３１が取得した国情報によって初期値データを格納した記録媒体を装着させた外部記憶装置６からこの国情報と対応する仕向地の初期値データを出力する初期値選択手段、３３は初期値選択手段３２が選択した初期値データを使って初期設定を行う設定手段である。この識別情報取り出し手段３１、初期値選択手段３２、設定手段３３は、後述する仕向地変更セットアップ処理を行うなどその他の制御手段とともに中央演算処理装置１（本発明のコンピュータ）にプログラムをロードすることにより機能実現手段として実現される。
【００１９】
続いて、図３のフローチャートに基づいて本発明の実施の形態１の構内交換機の初期設定方法について説明する。構内交換機システムの設定を行う必要がある場合、設定端末１３を構内交換機と接続し、通信を行うことで行う。また、設定端末１３は設定アプリケーションをインストール時に電話の国番号を入力するような仕組みになっている。この電話の国番号が実施の形態１の国情報であり、このほか、国情報にはＧＰＳによる位置情報、インターネットのドメイン名等がある。
【００２０】
設定アプリケーションのインストールの終了した設定端末１３を構内交換機に接続した時、まず通信の最初で国情報のやり取りが行われる。図３のフローチャートにおいて、構内交換機の制御手段が構内交換機自身のシステムデータ格納領域１７から国情報を取得し（Ｓ０１）、識別情報取り出し手段３１が設定端末からは通信制御部７を通して国情報を取得する（Ｓ０２）。その後２つの国情報が一致するかチェックされ（Ｓ０３）、一致する場合にはＳ０８へジャンプし、一致しない時には構内交換機内で仕向地変更セットアップアプリケーションプログラムを起動する（Ｓ０４）。次に設定端末１３から入手した国
情報が仕向地変更をサポートしている国情報かチェックされ（Ｓ０５）、サポートされた国であれば、仕向地を変更し、仕向地が変更されたことがわかるように仕向地変更フラグを設定する（Ｓ０６）。サポート国以外の国情報であれば仕向地変更セットアップ処理を中止する（Ｓ０７）。
【００２１】
その後仕向地変更フラグがチェックされ（Ｓ０８）、設定されていなければ何も処理せずに終了する。仕向地変更フラグが設定されていれば、一部機能を限定して外部記憶装置６の記録媒体に格納されている該当仕向地データをランダムアクセスメモリ３の仕向地データ格納領域１８に転送して（Ｓ０９）、終了する。ここで一部機能の限定とは、ＬＣＤに表示できる言語を制限する等である。例えば、ロシア向け正規ルート販売の構内交換機はそれに接続した電話機のＬＣＤにロシア語を表示できるが、他国経由製品である構内交換機では接続された電話機のＬＣＤにロシア語が表示できないという制限を設け、正規品との差別化を行う。
【００２２】
このように実施の形態１の構内交換機の初期設定方法は、仕向地変更を可能にすることができ、しかも機能を一部制限することで、正規ルートで構内交換機を購入した販売店ディーラが不利益を被ることがない。
【産業上の利用可能性】
【００２３】
本発明は、構内交換機と設定端末によってやり取りされる識別情報によって、仕向地初期値データを選択することに関するものであり、正規ルートで構内交換機を購入した販売店ディーラが不利益を被ることをなくすことができるという利点がある。
【図面の簡単な説明】
【００２４】
【図１】本発明の実施の形態１における構内交換機のハードブロック図
【図２】（ａ）本発明の実施の形態１における構内交換機のメモリマップ図、（ｂ）（ａ）の交換機を機能させるプログラムの機能手段構成図
【図３】本発明の実施の形態１における構内交換機の初期設定方法を示すフローチャート
【図４】従来の構内交換機の販売ルートを示す図
【符号の説明】
【００２５】
１    中央演算処理装置
２    フラッシュメモリ
３    ランダムアクセスメモリ
４    入力部
５    出力部
６    外部記憶装置
７    通信制御部
８    回線制御部
９    ブート領域
１０    プログラム・データ格納領域
１１    プログラム格納領域
１２    データ格納領域
１３    設定端末
１４    システムプログラムイメージ格納領域
１５    システムデータ格納領域
１６    システムプログラム格納領域
１７    システムデータ格納領域
１８    仕向地データ格納領域
１９，２０，２１    仕向地データ
３１    識別情報取り出し手段
３２    初期値選択手段
３３    設定手段
【図１】
2005143010.tif 000003
【図２】
2005143010.tif 000004
【図３】
2005143010.tif 000005
【図４】
2005143010.tif 000006